(57)【要約】  本発明は、本明細書では略してアダプタとも称される旅行用プラグアダプタに関する。このようなアダプタの助けで、規定の（国内）規格の主要プラグが、旅行先に存在するソケットに差し込まれることができる。特に、これは、ハウジング、プラグホルダ（１６）、及び少なくとも第１の規格の１つの第１のプラグ（３４）並びに第２の規格の第２のプラグ（３６）を有する旅行用プラグアダプタ（１０）であり、各プラグは、ハウジング内のスライド溝（４２）を通って外側に導かれ、かつプラグが実質的にハウジング内に位置する準備位置と、プラグが使用されることができるようにハウジングの外側に位置する使用位置との間でプラグを変位させるように設計された作動スライダ（２２、２４、２６）が割り当てられ、第１のプラグは、プラグボディと第１のコンタクトピン及び第２のコンタクトピンとを備え、使用位置では、プラグボディと第１のコンタクトピン及び第２のコンタクトピンとの両方が使用されることができるようにハウジングの外側に配置され、準備位置では、プラグボディと第１のコンタクトピン及び第２のコンタクトピンとの両方がハウジング内に位置し、第２のプラグは、第３のコンタクトピン及び第４のコンタクトピンを備え、第３のコンタクトピン及び第４のコンタクトピンは同様に、第１のプラグのプラグボディ内を誘導される。
2019533883.tif 000002
【特許請求の範囲】
【請求項１】
ハウジング、プラグ受け（１６）、及び少なくとも第１の規格の第１のプラグ（３８）並びに第２の規格の第２のプラグ（２８）を有する旅行用プラグアダプタ（１０）であって、各プラグは、前記ハウジング内のスライド溝を通って外方に誘導され、かつ前記プラグが前記ハウジングの実質的に内側に配設される待機位置と、前記プラグが前記ハウジングの外側に使用可能に配設される使用位置との間で前記プラグを変位させるように設計された作動スライダ（２２、２４、２６）が割り当てられ、前記第１のプラグは、プラグボディ（４０）と第１のコンタクトピン（４２Ａ）及び第２のコンタクトピン（４２Ｂ）とを備え、前記使用位置では、前記プラグボディ（４０）と前記第１のコンタクトピン（４２Ａ）及び前記第２のコンタクトピン（４２Ｂ）との両方が前記ハウジングの外側に使用可能に配設され、前記待機位置では、前記プラグボディと前記第１のコンタクトピン（４２Ａ）及び前記第２のコンタクトピン（４２Ｂ）との両方が前記ハウジング内に配設され、前記第２のプラグ（２８）は、第３のコンタクトピン（３０Ａ）及び第４のコンタクトピン（３０Ｂ）を備え、前記第３のコンタクトピン（３０Ａ）及び前記第４のコンタクトピン（３０Ｂ）もまた、前記第１のプラグ（３８）の前記プラグボディ（４０）内を誘導される、旅行用プラグアダプタ（１０）。
【請求項２】
前記第２のプラグ（２８）は、単に前記第３のコンタクトピン（３０Ａ）及び前記第４のコンタクトピン（３０Ｂ）を前記使用位置に動かすことだけによって前記使用位置に動かされる、請求項１に記載の旅行用プラグアダプタ（１０）。
【請求項３】
前記第１のプラグ（３８）はまた、前記プラグボディ（４０）の外側に配設された接地接触部も有する、請求項１又は２に記載の旅行用プラグアダプタ（１０）。
【請求項４】
前記第２のプラグ（２８）は、前記第１のプラグ（３８）の前記プラグボディ（４０）からある距離をおいて配置された接地接触部（４４）を有する、請求項１〜３のいずれか一項に記載の旅行用プラグアダプタ（１０）。
【請求項５】
第３のプラグも設けられ、前記第３のプラグの少なくとも１つの接触部は、前記第１のプラグ（３８）の前記プラグボディ（４０）内を誘導される、請求項１〜４のいずれか一項に記載の旅行用プラグアダプタ（１０）。
【請求項６】
前記第３のプラグの２つの導電接触部は、前記第１のプラグ（３８）の前記プラグボディ（４０）内を誘導される、請求項５に記載の旅行用プラグアダプタ（１０）。
【請求項７】
前記第３のプラグの前記少なくとも１つの接触部は、接地接触部である、請求項６に記載の旅行用プラグアダプタ（１０）。
【請求項８】
前記第３のプラグの２つの導電接触部は、前記第１のプラグ（３８）の前記プラグボディ（４０）の外側で誘導される、請求項１〜５のいずれか一項に記載の旅行用プラグアダプタ（１０）。
【請求項９】
前記第２のプラグ（２８）及び前記第３のプラグは、同じ分極を有する、請求項１〜８のいずれか一項に記載の旅行用プラグアダプタ（１０）。
【請求項１０】
前記第１のプラグ（３８）の前記プラグボディ（４０）は、前記第２のプラグ（２８）の支持要素のためのガイド溝（５８）を有する、請求項１〜９のいずれか一項に記載の旅行用プラグアダプタ（１０）。
【請求項１１】
スライドセレクタにはプラグごとにスライド位置が設けられ、前記スライドセレクタは、前記ハウジングの外の側面に設けられた制御ノブに連結され、また阻止要素を有し、前記待機位置と前記使用位置との間での選択されたプラグの変位は、前記スライドセレクタの前記スライド位置のみに依存して可能にされるが、他のプラグは、前記阻止要素によって前記待機位置に止められる、請求項１〜１０のいずれか一項に記載の旅行用プラグアダプタ（１０）。
【請求項１２】
前記作動スライダ（２２、２４、２６）に加えてスライドセレクタは設けられない、請求項１〜９のいずれか一項に記載の旅行用プラグアダプタ（１０）。
【請求項１３】
前記使用位置に少なくとも前記第１のプラグ（３８）又は前記第２のプラグ（２８）を止める係止要素が設けられる、請求項１〜１２のいずれか一項に記載の旅行用プラグアダプタ（１０）。
【請求項１４】
前記係止要素は、前記ハウジングの外側に設けられた解放ボタン（２０）に連結される、請求項１３に記載の旅行用プラグアダプタ（１０）。
【発明の詳細な説明】
【技術分野】
【０００１】
本発明は、本明細書では略して旅行用アダプタとも称される旅行用プラグアダプタに関する。このようなアダプタを使用して、ある特定の（国内）規格の電源プラグを、旅行先に存在するコンセントに差し込むことが可能である。この目的のために、旅行用プラグアダプタは、第１の規格のプラグ受け及び別の規格の電源プラグが必要である。この場合、問題は、より正確には、少なくとも第１の規格及び第２の規格のコンセントに差し込むことができる旅行用プラグアダプタである。この目的のために、第１の規格及び第２の規格の電源プラグは、旅行用プラグアダプタにおいて二者択一的に使用され得る。
【背景技術】
【０００２】
このタイプの旅行用プラグアダプタ又は旅行用アダプタは、世界的な旅行及び商業が増加する時代にますます使用されてきている。それゆえ、いくつかの異なる規格のコンセントに好適であるコンパクトで容易に運べる旅行用プラグアダプタの必要性が存在する。
【０００３】
中国特許出願ＣＮ１０１８７２９１１Ａは、本質的に丸いハウジングを有する旅行用プラグアダプタを開示している。電源プラグは、ハウジングの内部に収容されており、ハウジングから出されることもある。このようにして少なくとも３つの異なるタイプの電源プラグが使用され得る。上部ハウジング部が下部ハウジング部に対して回転されて所望の電源プラグが選択される。上部ハウジング部は、外方に突き出る個々の作動スライダを有する。この作動スライダは、様々な電源プラグ要素と係合させられ得る。電源プラグ要素は、互いに隣接して配置される。この目的のために、スライダは、下方よりハウジングから出されることになる電源プラグの上の位置に回転される。
【０００４】
この旅行用アダプタは、多くの目的のために有用であり得る。しかしながら、機械的構造によって丸いハウジング形状が指定されている。丸いハウジングはまた、隣接して配置された様々な電源プラグ要素を取り囲む必要もあり、その結果、このハウジングは全体としてあまりコンパクトではない。
【０００５】
独国特許ＤＥ１０２０１１０１４９２０Ｂ４は、汎用プラグアダプタと呼ばれる別の旅行用アダプタを開示している。この旅行用アダプタでは、複数のセットのピンが外部ハウジングに設けられている。ピンの各セットは制御要素に連結され、それを用いて各セットが外側から移動され得る。制御要素は、スライド溝によってハウジング内を誘導される。制御要素はまた、外部ハウジングの内側に設けられた阻止板を使用しても誘導される。この阻止板はガイドトラックを有し、制御要素は、それの凹部を移動していくことができる。ガイドトラックは、上端位置及び下端位置を設ける。阻止板は、制御要素が上端位置又は下端位置にしっかりと保たれることができるように、弾性的にプレストレスされる。制御要素、ひいては対応するピンのセットは、端部位置から解放されて上方又は下方に移動され得、ここで制御要素に加えて、外側に設けられたセレクタレバも作動される。このセレクタレバを押すと、ばね力に抗して阻止板を移動させる。このようにして、ピンは、制御要素を使用してそれらの上端位置又は下端位置から出され得る。
【０００６】
この解決法では、外の制御要素は、ピンのセットを第１の端部位置つまり待機位置から第２の端部位置つまり使用位置に移動させること、及びこれらの位置にピンのセットを係止することの両方を行うために使用される。制御要素を使用してピンのセットを移動させる間、選択レバも操作されなければならないことは欠点である。これにより、快適な片手操作が妨げられる。制御要素も、プラグ表面に多くの空間を占める。これにより、自由な設計指向型の構造やコンパクトな構造形態の達成が妨げられる。ハウジングは、その上端がシュコープラグの形態を有するように設計される。これもまた、あまりコンパクトでないハウジング形態につながる。またハウジングも、魅力ある形状を達成するために自由設計できない。相当異なる規格のプラグ用の接触部がシュコープラグの様式の上述の円筒状の本体からスライドされて出るようにも設けられる。これにより、ユーザの不興を買う見慣れないプラグ構造をもたらす。
【発明の概要】
【０００７】
本発明の目的は、先行技術の欠点を回避する、改良された旅行用プラグアダプタを利用可能にすることである。旅行用アダプタは、コスト効率よくかつ確実に生産できるべきであり、運んだり操作したりするのが容易であるべきであり、電気的に非常に安全であるべきである。
【０００８】
本発明の旅行用プラグアダプタは、様々な形状を有し得るハウジングを有する。例えば、通例、運ぶためにブロック形状が実用的である。しかしながら、旅行用プラグアダプタの機械的構造は、ハウジング形状がほぼ自由に選択され得るように設計される。ハウジングが少なくとも１つの平坦な側面を有するとき有利であるが、機械的構造はまた、湾曲したハウジング表面にも適応され得る。ハウジングは、１つの部品又は複数の部品において具現化され得る。特に下部ハウジング部及び上部ハウジング部を有する２つの部品にハウジングを具現化することが有用であることが証明されている。これらは、例えば機械的手段を使用して、有用にねじ連結を使用して、互いに取り外し可能に連結され得る。
【０００９】
ハウジングは、少なくとも１つのプラグ受けを有するべきである。後者は、有用にハウジングの上側に設けられる。プラグ受けは、受ける電源プラグ（以下、略して「プラグ」という）のタイプに依存して異なる形状を有し得る。例えば、シュコープラグを受ける場合、プラグ受けは、本質的に円筒状の窪みと、加えてシュコープラグのコンタクトピンを受けるための雌コネクタとを有することになる。他のタイプのプラグの場合、窪みもへこみも必要ない。複数の雌型接触部が設けられる平坦の上部ハウジング側を設けることが有用であり得る。通例、ある規格のプラグを受けるための雌コネクタ対を形成する少なくとも２つの雌コネクタが設けられるべきである。異なる規格の複数のプラグを受けることができるように複数の雌コネクタ対を設けることが有用であり得る。プラグが接地導体も有し、プラグ受けが接地の機会を提供するように意図される場合、通例、受けるプラグごとに第３の雌コネクタ又は第３の接触部を設けることも必要である。
【００１０】
旅行用プラグアダプタはさらに、第１の規格の少なくとも１つのプラグ及び第２の規格の第２のプラグを有するべきである。（このようなプラグは、プラグインピンセットとも呼ばれるときもある）。第１の規格のプラグは、例えばＥＵプラグ又はシュコープラグであり得、第２の規格のプラグは、ＵＳプラグであり得る。プラグは２つのピンを有し得、すなわち、それらは接地されなくてもよいか、又は、それらは接地ピンが設けられ得るように３つのピンを有し得る。こうして本旅行用プラグアダプタは、１つより多くの国での使用に好適である。有用に、及び通例、第１のプラグ及び第２のプラグが二者択一的に使用されることも必要である。
【００１１】
多くの規格のプラグは、コンセントの中に突出するプラグボディを有し、その形状はコンセントの形状によって決定される。例として、シュコープラグはこのタイプのプラグボディを有する。このプラグボディは、２つの突出したへこみ及び２つの窪みを有する円筒状の基本形状を有する。へこみは規格にしたがって必要なプラグボディの向きを画定する。接地接触部は、窪みに設けられることができる。シュコープラグの場合、２つのコンタクトピンはプラグボディから下方に突出し、プラグを使用すると、これらは導電接触部、すなわち陽極及び陰極である。ＥＵプラグは、コンセントに差し込まれるプラグボディも有し、その形状は、コンセントの形状によって少なくとも部分的に決定される。スイス向け及びイタリア向けのプラグは、同様の様式のプラグボディを有する。スイスのプラグ及びイタリアのプラグのプラグボディは互いに似ている。両方とも前面に３つのコンタクトピンを有する。外側のコンタクトピンが、陽極及び陰極を形成する。中央のコンタクトピンは接地のために使用される。イタリアのプラグの場合、中央のコンタクトピンは、陽極用のコンタクトピンと陰極用のコンタクトピンとの間の中心に配置される。スイスのプラグの場合、中央のコンタクトピンは、これらの２つのコンタクトピンのラインからずれている。
【００１２】
本発明の範囲内で、「プラグボディ」という用語は、コンセントに差し込まれ、その形状が少なくとも実質的にコンセントの規格によって決定されるプラグの部分を表す。プラグハウジングのさらなる部分は、概してプラグボディの上方に配置され、本明細書では主要プラグハウジングと称される。主要プラグハウジングは、ケーブル配線に役立ち、グリップ凹部又は同様のものも多くの場合設けられる。プラグボディとは対照的に、主要プラグハウジングは、コンセントの形状によって画定されない。
【００１３】
他の規格のプラグは、プラグボディを必要としない。対応するコンセントは、コンタクトピンを受けるためのコネクタのみを有する、実質的に平坦な上面を有する。これらのコネクタは概して、円形又は溝のようなものである。プラグボディを有さず、プラグハウジングから突出するコンタクトピンのみを有するプラグは、対応するコンセントに好適である。
【００１４】
旅行用プラグアダプタはまた、３つ以上のプラグを備え得る。３つ又は４つのプラグを有する旅行用プラグアダプタは非常に有用であることが証明されている。通例すべてのプラグだが、プラグのうちの少なくとも１つは、プラグが本質的にハウジング内に配設される待機位置から使用位置に移動され得る。使用位置では、プラグは全体的又は少なくとも部分的にハウジングの外側に使用可能に配設される。多くの場合、プラグが待機位置に戻されるときにハウジングの中に完全に戻されることが可能である。プラグが他のプラグの妨げにならないくらい十分にハウジングの奥に戻され得ることが有用である。
【００１５】
本発明による旅行用プラグアダプタは、プラグボディと第１及び第２のコンタクトピンとを備える、第１のプラグを有することになる。よって例として、この第１のプラグは、既知の円筒形状のプラグボディと、陽極及び陰極としての役割をする２つのコンタクトピンとを有するシュコープラグであり得る。使用位置では、プラグボディと第１及び第２のコンタクトピンとの両方は、ハウジングの外側に使用可能に配置される。ここで、プラグボディはハウジングから突出し、次に第１及び第２のコンタクトピンはプラグボディから突出する。待機位置では、２つのコンタクトピンはプラグボディの中に後退し、プラグボディ自体は、ハウジングの中に後退している。第１のプラグは、当然ながら別の規格のプラグであることもできる。
【００１６】
本発明による旅行用プラグアダプタはまた、別の規格の第２のプラグも有し、それは次に第３のコンタクトピン及び第４のコンタクトピンを有する。本発明にしたがって、第３及び第４のコンタクトピンはまた、第１のプラグのプラグボディ内を誘導される。よって第２のプラグは、使用位置に動かされることができ、ここで第３のコンタクトピン及び第４のコンタクトピンが第１のプラグのプラグボディから突出する。これらは次いで、適合する規格のコンセントに、このプラグボディなしに差し込まれることができる。第１のプラグのプラグボディに第３及び第４のコンタクトピンを設けることはまた、これらのコンタクトピンへの電気供給ラインが、第１及び第２のコンタクトピン用の電気供給ラインから離れて通らないという利点も有する。それゆえ短いラインが使用されることができる。加えて、これらラインは、プラグボディの変位に挟まれず、これは、それらが当該プラグボディの内部を誘導されることができるからである。
【００１７】
代替的に、第２のプラグが第１のプラグのプラグボディとともに使用されることもまた考えられるであろう。その場合、同じプラグボディだが第１のプラグと比較すると異なるコンタクトピン配置を有する第２のプラグが設けられることになる。これは、例として、例えばスイス規格に対応する第１のプラグ及びイタリア規格に対応する第２のプラグを差し込むために考えられるであろう。
【００１８】
本発明の意味では、第２のプラグが使用位置になるために単に第３及び第４のコンタクトピンが使用位置に動かされるだけでよいように、第２のプラグが設計されるとき有利である。
【００１９】
第１のプラグがプラグボディの外側に配設された接地接触部も有する旅行用プラグアダプタを提供することが有用である。このタイプの接地接触部は、例えば外部からプラグハウジングを圧迫する場合がある。このタイプのプラグの場合、多数の接触部を設けるのに十分な空間がプラグボディ内側にある。加えて、導電接触部の、接地接触部との意図しない不良接触の可能性がより低い。
【００２０】
第２のプラグが、第１のプラグのプラグボディからある距離をおいて配置された接地接触部を有するときもまた得策である。それゆえ、このタイプの接地接触部は、プラグボディを外部から圧迫しないが、代わりに典型的には数ミリメートル（２〜１０ｍｍ）の距離をおいて設けられる。例として、接地接触部は、第３のコンタクトピンの形態で設けられることができ、それは、陽極及び陰極用のコンタクトピンに平行に配置される。
【００２１】
旅行用プラグアダプタは、第１及び第２のプラグより多くを有することができ、３つ又は４つのプラグを有する旅行用プラグアダプタが多くの場合有用である。例として、第３のプラグが設けられることができ、そこで少なくとも１つの接触部が第１のプラグのプラグボディ内を誘導される。例えば、第３のプラグの接地接触部が第１のプラグのプラグボディ内を誘導されることが考えられる。第３のプラグの２つの導電接触部（陽極及び陰極）が第１のプラグのプラグボディ内を誘導されることもまた考えられるであろう。
【００２２】
第２のプラグ及び第３のプラグが同じ分極を有するように旅行用プラグアダプタが組み立てられているときもまた得策である。次いで同一極がプラグの中心平面の各側に存在し、例えば、陽極は左に、陰極は右に存在する。中心平面は、導電極、少なくとも第２及び第３のプラグの導電極間の中心でプラグを分割する。これによりプラグの単純かつ安全な配線が可能となる。原則としては、旅行用プラグアダプタを互いに対して１８０°回転した位置で使用することが容易に可能である。しかしながら、旅行用プラグアダプタが１つの固定された位置でのみ使用されることができ、次いで分極がこの位置に基づいて好都合に選択されることができるように、機械的にこの使用を制限することが多くの場合有利である。
【００２３】
第１のプラグのプラグボディがガイド溝を有するように旅行用プラグアダプタが機械的に設計されているときも特に有用である。ここで、ガイド溝には第２のプラグの支持要素が設けられることができる。例として、このタイプの支持要素は、第３のコンタクトピン及び第４のコンタクトピンを誘導する支持バーであることができる。このタイプのガイド溝を設けることは、支持要素が第１のプラグのプラグボディの中深くに誘導されることを可能にし、したがってそれによって支持されるコンタクトピンの正確な機械的誘導を可能にする。このタイプのガイド溝及びプラグハウジングのスライド溝が互いに平行の平面に配置されているとき、誘導は特に正確である。この配置により、２つの溝による支持要素の誘導、したがって機械的に非常に安全かつ正確な誘導が可能となる。
【００２４】
この誘導は機械的な利点を有するだけでなく、電気安全性を増加させるのにも役立つ。対応する支持要素の変位の経路が正確に予め決定されているので、この領域で必要な電気ラインのいかなる閉塞又は損傷もほぼ回避することが可能である。
【００２５】
本発明による旅行用アダプタにスライドセレクタを装備することが可能であり、ここにおいて、プラグごとにスライド位置が設けられ、スライドセレクタはハウジングの外の側面に設けられた制御ノブに連結され、選択されたプラグの待機位置及び使用位置間の変位が、スライドセレクタのスライド位置にのみ依存して可能にされる。このようなスライドセレクタが阻止要素を備えることができ、それにより他のプラグが待機位置に係止される。
【００２６】
代替的に、スライドセレクタを省くことが可能である。このタイプの旅行用プラグアダプタの場合、作動スライダに加えてスライドセレクタは設けられない。次いでこれは、スライドセレクタの機構以外の機構により、１つより多くの作動スライダの同時作動が回避されるとき特に実用的である。
【００２７】
本発明の範囲内で、第１のプラグのプラグボディ内での第３及び第４のコンタクトピンの正確な誘導が可能である。これにより非常に安全かつ確実な機械的構造が可能となる。よって多くの場合、スライドセレクタを省くこと、及び異なる機械的手段を使用して使用位置に２つのプラグを動かすのを回避することが可能である。
【００２８】
本発明の範囲内で、少なくとも第１のプラグ又は第２のプラグを使用位置に止める、係止要素を設けることも得策である。この係止要素は、ハウジングの外部に設けられた解放ボタンに便宜的に連結される。それは解放方向に抗して弾性的にプレストレスされることができる。係止要素を設けることは、プラグが使用位置に確実に保持されるために特に有用である。例えば第１及び第２並びにまた第３及び第４のコンタクトピンが異なる長さを有する場合があるので、使用位置からのわずかな変位が即座にわからないこともあるが、係止要素で確実に防止することができる。
【００２９】
説明された本発明は、旅行用プラグアダプタの特にコンパクトな設計を可能にする。第１のプラグボディ内の特に単純な連結もまた可能である。第１のプラグのプラグボディ内に別の規格のコンタクトピンを配置することは少なくとも直観的ではないが、このプラグ規格に基づく思考の躍進が、非常に短い連結経路をもたらすことを可能にする。これは追加的に、導電ラインの場合には電気安全性を著しく増加させる。
【００３０】
旅行用プラグアダプタのハウジングがスライド溝又は同様の凹部を有するとき有用である。作動要素又はスライダは、これらのスライド溝を通り得る。スライド溝にはスライドセレクタも追加的に設けられ得る。スライド溝は、スライダが誘導もされながら移動することを可能にする。よってそれらは、有利かつコスト効率のよい機械的解決法を表す。通例、複数の作動要素又はスライダが旅行用プラグアダプタに設けられるので、それらが単純な様式でスライド溝内を誘導され得るとき特に有利である。
【００３１】
任意選択の係止要素が、スライドセレクタとは別個の構成要素として設計され得る。代替的に、係止要素はまた、スライドセレクタに連結された構成要素でもあってもよい。別個の構成要素としての実施形態は、場合によっては生産利点を有する。スライドセレクタは、大きい力を伝える必要もそれに耐える必要もない構成要素である。しかしながら、係止要素は、その性質により、各規格のプラグを使用位置に保持するのに十分な力を確実にかけなければならない。
【００３２】
同様の理由から、係止要素がまた作動スライダとは別個の構成要素であるとき有用である。この場合、係止要素がスライドセレクタ又は作動スライダの一部でもない少なくとも１つの構成要素を有するときに、係止要素は別個の構成要素であると解釈されるであろう。一般に、係止要素のすべての構成要素が、スライドセレクタの構成要素とは別個に、また作動スライダの構成要素とも別個に具現化されるとき有用である。
【００３３】
係止要素が、ハウジングの外部に設けられ、かつ解放方向に作動される解放ボタンに連結されるとき有用である。そのような解放ボタンにより、プラグが使用位置から移動されて待機位置に戻るときの係止要素の直観的かつ安全な解放が可能となる。この設計は、作動スライダ又はさらにはスライドセレクタ又はさらにはプラグ自体のある特定の移動がプラグの解放につながるものよりも安全でより確実であると思われる。解放ボタンが意図せずに作動されることができないように、それにはまた警告インジケータが設けられ得るか、又は例えば赤といった警告色で設計され得る。解放ボタンは、例えば好適な設計によりハウジングの一部を窪ませることができる場合、ハウジングの一部であり得る。通例、ハウジングに凹部を設け、ハウジングから独立している一部としてこの凹部に解放ボタンを設けることが有用である。解放ボタンは、スライドセレクタ及び／又は作動スライダに対向して有用に配置され得る。
【００３４】
係止要素が、もしあれば、解放方向に抗して弾性的にプレストレスされるとき有用である。係止要素を弾性的にプレストレスすることにより、プラグが使用位置にきたらすぐにプラグが係止部に確実にはめ込まれることが可能となる。ばねが解放方向に抗して正確に作用するときも機械的に有利である。
【００３５】
（任意選択の）係止要素の有用な実施形態は、係止要素が少なくとも１つの係止脚を有し、この係止脚がスライド表面及び係止凸部を有する実施形態である。移動されるプラグに連結された要素は、スライド表面上をスライドし得る。この要素は次いで、要素に連結されたプラグが係止されるように係止凸部にはまり得る。
【００３６】
旅行用プラグアダプタは、少なくとも１つのプラグがスライド凸部を有するか、又はそのようなものに機械的にしっかりと連結され、スライド凸部が、スライド表面上を通り、もしあれば係止凸部に係止位置をとることができるとき有用である。
【００３７】
係止手段が複数の係止脚、例えば２つ、３つ、又は４つの係止脚を有する旅行用プラグアダプタもまた有用である。係止脚の数は、プラグの数と全く同じであり得る。係止脚の数がプラグの数よりも少ないときも有用で十分であり得る。
【００３８】
特に後者の場合、少なくとも２つのプラグがスライド凸部に各々連結され、両方のスライド凸部が係止要素の同じ係止脚上を通るとき有用である。２つのスライド凸部が同じ係止脚上を通るので、これは、２つのスライド凸部が係止位置をとることができる同じスライド表面上及び同じ係止凸部上を、２つのスライド凸部が通ることを意味する。旅行用プラグアダプタ内の２つのプラグが同時に使用位置に移動されることになっていないので、スライド凸部は二者択一的に係止凸部上にこの係止位置をとる。しかしながら、２つのスライド凸部、例えば隣接するプラグの２つのスライド凸部が、好適な寸法にされた係止脚を共有する場合、係止脚の数は低減され得、よって旅行用プラグアダプタは、さらによりコンパクトに組み立てられ得る。
【００３９】
本発明の追加の特徴だけでなく利点もまた、以下の図面及び関連する説明から得られる。本発明の特徴は、図及び関連する説明において組合せで説明される。しかしながらこれらの特徴は、本発明の主題の他の組合せにも含まれ得る。よって開示される各特徴は、他の特徴との技術的に妥当な組合せで開示されるとも考慮されるべきである。図のいくつかは、わずかに単純にされ、図式化されている。
【図面の簡単な説明】
【００４０】
【図１】本発明の旅行用プラグアダプタの例示的な実施形態の透視図である。
【図２】ＵＳプラグが使用位置に移動された旅行用プラグアダプタの例示的な実施形態の、同様の透視図による描写を提供する。
【図３】下面が見えている、図２による旅行用プラグアダプタの透視図である。
【図４】シュコープラグが使用位置に動かされた、図３からの旅行用アダプタの対応する透視図である。
【図５】旅行用アダプタの選択された協働する構成要素の透視立面図である。
【図６】ＡＵプラグ用のさらなる支持フレームが見えている、選択された協働する構成要素の同様の透視立面図である。
【図７】特にシュコープラグのハウジングにおける、選択された協働する構成要素透視立面図である。
【発明を実施するための形態】
【００４１】
図１は、使用の準備はできているがまだ使用位置にない、本発明の旅行用プラグアダプタ１０の透視図である。代わりに、プラグのすべてが待機位置、すなわちハウジング内にある。
【００４２】
下記では、初めに旅行用プラグアダプタ１０の最も必須の要素が説明される。旅行用プラグアダプタは、上部ハウジング部１２及び下部ハウジング部１４から成るハウジングを有する。上部ハウジング部１２及び下部ハウジング部１４はともに、主要プラグハウジングを形成する。旅行用アダプタプラグの上側、よって上部ハウジング部１２のエリアにおける上側に配設されたものは、プラグ受け１６である。最後のものは、複数の雌コネクタ１８を有する。より具体的には、これらは、導電ＵＫコンタクトピンを受けるための雌コネクタ対１８Ａ、導電ＡＵコンタクトピンを受けるための雌コネクタ対１８Ｂ、導電ＵＳコンタクトピンを受けるための雌コネクタ対１８Ｃ、ＵＫ接地ピンを受けるためのコネクタ１８Ｄ、及びＵＳ接地ピン又はＡＵ接地ピンを受けるためのコネクタ１８Ｅである。
【００４３】
解放ボタン２０もまたハウジング側に設けられる。当該解放ボタンは、作動要素を係止したり解放したりするのに役立つ。ハウジングの前側には、それを用いてＵＳ接触部がスライドして出されることができる第１の作動スライダ２２、それを用いてＡＵ接触部がスライドして出されることができる第２の作動スライダ２４、及びそれを用いてシュコープラグがスライドして出されることができる第３の作動スライダ２６が設けられる。
【００４４】
図２は、作動スライダ２２がその下部位置に動かされている、本発明による旅行用プラグアダプタの例示的な実施形態の透視画法である。したがってＵＳプラグ２８用のコンタクトピンは、ハウジングから突出している。ＵＳプラグ２８は、２つの導電コンタクトピン（ピン３０Ａ及び３０Ｂ）と、接地ピン３２も備える。例示された位置で、旅行用アダプタは、ＵＳ規格にしたがうコンセントに差し込まれることができる。この規格は、プラグボディが使用されることを必要としない。旅行用プラグアダプタ１０のハウジングの下面は次いで、ＵＳ規格にしたがうプラグの平坦表面に面一に位置する。
【００４５】
図３では、同じ旅行用アダプタが異なる透視図法により例示されている。ここで下面３４が平面であることをはっきり見ることができる。しかしながら、多様な開口部３６及び要素がこの下面に設けられている。開口部３６Ａ及び３６Ｂは、導電シュコーコンタクトピン用に設けられる。開口部３６Ｃ及び３６Ｄは、導電ＡＵコンタクトピン用に設けられる。開口部３８が、追加の接地ピン用に設けられる。開口部３８は、シュコープラグのプラグボディ４０にある開口部３６Ａ及び３６Ｂとともに設けられている。このプラグボディに加えて、固定差込み部４２もまた設けられる。
【００４６】
図４は、シュコープラグが使用位置に移動されている、本発明による旅行用プラグアダプタの、同じ透視図法による描写である。したがって第３の作動スライダ２６が、その下部位置に持ってこられている。シュコープラグのプラグボディ４０は、ハウジングの下面３４を越えて突出している。シュコープラグの導電コンタクトピン４２Ａ及び４２Ｂは次に、シュコープラグから突出している。規格にしたがい、接地接触部４４がプラグボディの側面に配設されている。
【００４７】
図５は、旅行用アダプタ１０の選択された協働する構成要素の透視立面図である。上部ハウジング部が取り除かれると、プラグの内側を見ることが可能であり、すなわち、下部ハウジング部１４によって受けられる実質的にそれらの構成要素を見ることができる。プラグの機能のために必要なすべての構成要素が例示されているわけではないことにも留意されたい。明確さのために、選択が行われている。
【００４８】
シュコープラグのプラグボディ４０を見ることができる。ここにおいて、シュコープラグの導電コンタクトピン用の開口部３６Ａ及び３６Ｂが設けられている。接地コンタクトピン用に設けられている開口部３６Ｅも見ることができる。この描写では、さらなる開口部、すなわちＡＵプラグの接地ピン用の開口部５６も見ることができる。
【００４９】
ＵＳプラグ用の導電コンタクトピン３０Ａ及び３０Ｂもまた例示されている。それらは待機位置にあり、すなわちハウジングの中に後退している。したがって第１の作動スライダ２２が、上部位置にある。作動スライダ２２は、係止機構４８によってこの位置に保持されることができる。
【００５０】
作動スライダ２２は、支持バー５０を移動させる。コンタクトピン３０Ａ及び３０Ｂは、この支持バー５０に固定されている。したがって支持バー５０は、第１の作動スライダ２２がハウジングの底面の方向に変位されるにつれて下方に進んでいく。そうする際、コンタクトピン３０Ａ及び３０Ｂは、シュコープラグのプラグボディ４０内を誘導される。よってシュコープラグは、別の規格のコンタクトピンのためのガイドを提供する。
【００５１】
図６は、協働する構成要素の同様の選択の同様の透視画法である。ここで図５との重要な相違点として、ＡＵプラグ用の支持バー５２も見ることができる。支持バー５２は、作動スライダ２４に連結されている。支持バー５２は、領域５４で結合する、３つのバー端部、バー端部５４Ａ、５４Ｂ、及び５４Ｃを有する。バー端部５４Ａ及び５４Ｂは、ＡＵプラグの導電接触部を支持する。それらは、これらの接触部を機械的に、（図示された）待機位置から使用位置に誘導する。バー端部５４Ｃは、ＡＵ接地ピンを誘導する。よって接地ピンは、図５で見える開口部５６を通って（図示された）待機位置から使用位置に動かされる。
【００５２】
シュコープラグのプラグハウジング４０内の接地ピンとは対照的に、導電ピンがシュコープラグのプラグハウジング４０の外側で誘導される配置がこうして、ＡＵプラグ用に選択される。一方、ＵＳプラグ用の導電コンタクトピンが、シュコープラグのプラグボディ４０内を誘導される。両方の解決法により、有利かつ空間節約の配置が可能となる。異なる解決法が異なるプラグ向けに選択されることができる。
【００５３】
図７は、旅行用プラグアダプタの例示的な実施形態の他の選択された協働する構成要素の透視図である。ここで、ＵＳプラグ用の作動スライダ２２及びＥＵプラグ（シュコープラグとして具現化）用の作動スライダ２６を見ることができる。支持アーム５０は、作動スライダ２２に連結されている。支持アーム５０は接地ピン３２を誘導し、それはシュコープラグのプラグボディ４０の外側で移動される。支持アーム５０は対照的に、シュコープラグのプラグボディ４０内でＵＳプラグの導電接触部を誘導する。したがってガイド溝５８が、プラグボディ４０に設けられる。このガイド溝５８は、支持バー５０がプラグボディ４０において深く係合することを可能にし、よって、ＵＳコンタクトピンの安全な機械的誘導を可能にする。
【００５４】
概して説明され、及び図面においてより具体的に説明された様式で、操作するのが非常に快適であるが、操作誤りがほぼ何も予想されない旅行用アダプタが生産され得る。興味深いことに、それにもかかわらず旅行用アダプタは生産するのに費用がかからず、また、大量生産中により大きい耐障害性が可能にされる必要がある場合でもまた費用がかからず確実に生産され得る。
【符号の説明】
【００５５】
１０…旅行用アダプタ／旅行用プラグアダプタ
１２…上部ハウジング部
１４…下部ハウジング部
１６…プラグ受け
１８…雌コネクタ
１８Ａ…ＵＫ雌コネクタ対
１８Ｂ…ＡＵＳ雌コネクタ対
１８Ｃ…ＵＳ雌コネクタ対
１８Ｄ…ＵＫ接地ピン用の雌コネクタ
１８Ｅ…ＵＳ接地ピン
２０…解放ボタン
２２…第１の作動スライダ
２４…第２の作動スライダ
２６…第３の作動スライダ
２８…ＵＳプラグ
３０…導電コンタクトピン（ＵＳプラグ）
３２…接地ピン（ＵＳプラグ）
３４…プラグボディ（シュコープラグ）
３６…開口部
３６Ａ…導電接触部（シュコー）の開口部
３６Ｂ…導電接触部（シュコー）の開口部
３６Ｃ…導電接触部（ＵＳ）の開口部
３６Ｄ…導電接触部（ＵＳ）の開口部
３６Ｅ…さらなる接地接触部の開口部
３８…シュコープラグ
４０…シュコープラグのプラグボディ
４２…シュコープラグの導電接触部
４４…シュコープラグの接地接触部
４６…ヒューズコンパートメント
４８…係止機構
５０…支持バーＵＳ
５２…接地ピンの開口部
５４…支持バーＡＵ
５６…支持バー端部ＡＵ
５８…ガイド溝
【図１】
2019533883.tif 000003
【図２】
2019533883.tif 000004
【図３】
2019533883.tif 000005
【図４】
2019533883.tif 000006
【図５】
2019533883.tif 000007
【図６】
2019533883.tif 000008
【図７】
2019533883.tif 000009
【国際調査報告】
2019533883.tif 000010
2019533883.tif 000011
2019533883.tif 000012
2019533883.tif 000013